(57)【特許請求の範囲】
【請求項１】
ケース内に、商用電源に接続される第１の主幹ブレーカを設置する主幹ブレーカ設置部と、複数の分岐ブレーカを設置する分岐ブレーカ設置部と、第２の主幹ブレーカ等の機器を設置するためのフリースペースとが左右方向に順に配置された住宅用分電盤において、
前記主幹ブレーカ設置部、前記分岐ブレーカ設置部、及び前記フリースペースは、前記ケースに上下に亘り配設された複数の機器取付レールを利用してその間に掛け渡された取付台上に形成され、
アース端子を、前記分岐ブレーカ設置部と前記フリースペースの間に配置された前記機器取付レール上に設置したことを特徴とする住宅用分電盤。
【請求項２】
前記アース端子は、前記機器取付レールに着脱可能に取り付けられて成る請求項１記載の住宅用分電盤。
【発明の詳細な説明】
【技術分野】
【０００１】
本発明は住宅用分電盤に関し、詳しくは住宅用分電盤のアース端子取付位置の改良に関する。
【背景技術】
【０００２】
住宅用分電盤にはアース端子が設けられ、コンセントや負荷機器に接続されたアース線が電圧線と共に３芯から成る電源ケーブルにより引き込まれ、分電盤内で１本のアース線はアース端子に接続され、他の２本の電圧線は分岐ブレーカに接続される。従来のこのようなアース端子を備えた住宅用分電盤は、例えば特許文献１に記載されているように、アース端子は分岐ブレーカ設置部に近い部位ではあるが分電盤ケースの隅に設置されていた。
【０００３】
一方で、近年は省エネルギーや地球温暖化防止のために太陽光発電や風力発電等の自家発電設備を一般家庭でも設置する場合があり、そのような住宅に設置される住宅用配電盤では、商用電源用の第１の主幹ブレーカ加えて自家発電機器のための第２の主幹ブレーカを設置する必要があり、そのためのスペースが分電盤内に必要となった。そのため、例えば特許文献２に記載されているように、分岐ブレーカ設置部の左側に第１の主幹ブレーカが配置され、右側に第２の主幹ブレーカ等の機器を設置するスペースを備えた住宅用分電盤が必要であった。
図４は、このような第２の主幹ブレーカ等の機器を設置するフリースペースを備えた住宅用分電盤の具体的構成を示すもので、左側から順に電流制限器設置部Ｂ１、第１の主幹ブレーカ設置部Ｂ２、分岐ブレーカ設置部Ｂ３、フリースペースＢ４が設けられている。そして２１は分岐ブレーカ、２２は第１の主幹ブレーカ、２３はアース端子であり、アース端子２３は分電盤ケースの右隅上部に設置されていた。
【０００４】
【特許文献１】特開２００３−４５５１２号公報
【特許文献２】特開平１０−２８５７１９号公報
【発明の開示】
【発明が解決しようとする課題】
【０００５】
上記特許文献１に示されているようにアース端子をケース隅に配置した構成は、分岐ブレーカ設置部がアース端子に隣接して配置されている分には、３線からなる電源ケーブルのアース線を電圧線の長さに対して十分長く引き出すことなくアース線をアース端子に、電圧線を分岐ブレーカに接続できるため、切除する電線が少なくて済むし、引き出す電線が短くて済むため配線工事も容易であった。
しかし、上記図４に示すように、分岐ブレーカ設置部Ｂ３を挟んで左右両側に主幹ブレーカが配置されているような場合には、ケース隅部にアース端子２３を配置したのでは、電圧線に比べて長いアース線が必要となり、アース線の引き出し作業が面倒であったし、ケーブル全体の使用量が多くなっていた。また、アース線を第２主幹ブレーカを跨ぐように或いは迂回させて配線することになり、配線作業が面倒であった。
【０００６】
そこで、本発明はこのような問題点に鑑み、分岐ブレーカ設置部に隣接して自家発電機器等のための機器を設置するフリースペースを備えても、アース線の接続が容易な住宅用分電盤を提供することを目的とする。
【課題を解決するための手段】
【０００７】
上記課題を解決する為に、請求項１の発明は、ケース内に、商用電源に接続される第１の主幹ブレーカを設置する主幹ブレーカ設置部と、複数の分岐ブレーカを設置する分岐ブレーカ設置部と、第２の主幹ブレーカ等の機器を設置するためのフリースペースとが左右方向に順に配置された住宅用分電盤において、前記主幹ブレーカ設置部、前記分岐ブレーカ設置部、及び前記フリースペースは、前記ケースに上下に亘り配設された複数の機器取付レールを利用してその間に掛け渡された取付台上に形成され、アース端子を、前記分岐ブレーカ設置部と前記フリースペースの間に配置された前記機器取付レール上に設置したことを特徴とする。
この構成によれば、分岐ブレーカ設置部端部或いは内部にアース端子を配置したので、分岐ブレーカ設置部の左右双方に機器が設置されても、アース端子は分岐ブレーカの近くに配置される。よって、フリースペースが設けられていても、分岐ブレーカに接続する電源ケーブルからアース線を取り出してアース端子に接続する作業がし易いし、アース線を大きく引き出す必要がないので廃棄する電線の量を少なくできる。また、フリースペースを跨いでアース線を引き回すこともない。
更に、アース端子は機器取付レールに組み付けられるので堅牢に取り付けできる。
【０００８】
また、アース端子が分岐ブレーカ設置部とフリースペースの間に配置されることで、分岐ブレーカに接続する電圧線の配線の邪魔にならない。
【０００９】
請求項２の発明は、請求項１に記載の発明において、前記アース端子は、前記機器取付レールに着脱可能に取り付けられて成ることを特徴とする。
この構成によれば、アース端子は着脱可能なため必要無ければ取り外せばよいし、追加して設置したり取付位置を変更することが可能であり、利便性が良い。
【発明の効果】
【００１０】
本発明によれば、分岐ブレーカ設置部に隣接してフリースペースが設けられていても分岐ブレーカ近傍にアース端子を配置でき、分岐ブレーカに接続する電源ケーブルからアース線を取り出してアース端子に接続する作業がし易い。そして、アース線を大きく引き出す必要がないので廃棄する電線の量を少なくできるし、フリースペースを跨いでアース線を引き回すこともない。
また、アース端子が分岐ブレーカ設置部とフリースペースの間に配置されることで、分岐ブレーカに接続する電圧線の配線の邪魔にならない。
【発明を実施するための最良の形態】
【００１１】
以下、本発明を具体化した実施の形態を、図面に基づいて詳細に説明する。図１は本発明に係る住宅用分電盤の正面図であり、前面を閉塞する蓋板を取り外した状態を示している。この図１において、Ａ１は商用電源からの電流を制限する電流制限器を収容するための電流制限器設置部、Ａ２は電流制限器を介して商用電源に接続される第１の主幹ブレーカを収納するための主幹ブレーカ設置部、Ａ３は個々の負荷に電源を供給するための分岐ブレーカ設置部、Ａ４は自家発電設備等に接続される第２の主幹ブレーカ等を収容するためのフリースペースである。
また、１は分電盤のケース、２は第１の主幹ブレーカ、３は分岐ブレーカ、４はアース端子、５（５ａ，５ｂ，・・・５ｅ）はケース１に形成された機器取付レール、６は図示しない電源ケーブルを導入するためにケース背面に形成された開口部である。
【００１２】
電流制限器設置部Ａ１、主幹ブレーカ設置部Ａ２、分岐ブレーカ設置部Ａ３、フリースペースＡ４の各スペースは、機器取付レール５間に取付台７（７ａ，７ｂ，７ｃ）を掛け渡して形成され、機器取付レール５が境界となり各エリアが形成されている。
【００１３】
分岐ブレーカ設置部Ａ３は、中央に第１の主幹ブレーカ２に接続された導体バー（図示せず）が横断するように配設され、個々の分岐ブレーカ３，３・・はその上下に列設されている。尚、図１では導体バー等の充電部は充電部保護カバー８で覆われ、保護された状態を示している。
【００１４】
図２は図１のＣ部拡大図を示している。アース端子４は図２に示すように電線を挿入して接続する差し込み端子４ａを複数備えて形成され、機器取付レール５ｄ上に設置されたベース板１０の端部（ここでは上端部）にねじ１１により着脱可能に固定されている。
【００１５】
このように、分岐ブレーカ設置部端部にアース端子を配置したので、分岐ブレーカ設置部の左右双方に機器が設置されても、アース端子は分岐ブレーカの近くに配置される。よって、フリースペースが設けられていても、分岐ブレーカに接続する電源ケーブルからアース線を取り出してアース端子に接続する作業がし易いし、アース線を大きく引き出す必要がないので廃棄する電線の量を少なくできる。また、フリースペースを跨いでアース線を引き回すこともない。
更に、アース端子が分岐ブレーカ設置部とフリースペースの間に配置されることで、分岐ブレーカに接続する電圧線の配線の邪魔にならないし、アース端子は機器取付レールに組み付けられるので堅牢に取り付けできる。
また、アース端子は着脱可能なため必要無ければ取り外せばよいし、追加して設置したり取付位置を変更することが可能であり、利便性が良い。
【００１６】
図３は住宅用分電盤の他の例を示し、アース端子４を追加した例を示している。分岐ブレーカ設置部Ａ３とフリースペースＡ４の境界に設けられた機器取付レール５ｄの上部に加えて下部にもアース端子４を設置し、上下２ヶ所設置した構成を示している。尚、図１と同様の構成要素には同一の符号を付与してある。
このように、機器取付レールを使用すれば、上下２ヶ所にアース端子を設けることも容易に実施でき、アース線の数が多い場合は便利である。
【００１７】
尚、上記実施形態は、アース端子４を分岐ブレーカ設置部Ａ３の端部となる分岐ブレーカ設置部Ａ３とフリースペースＡ４の間に取り付けているが、分岐ブレーカ設置部Ａ３の範囲内に機器取付レール５がある場合は、その機器取付レール５上にアース端子４を取り付けても良い。
【図面の簡単な説明】
【００１８】
【図１】本発明に係る住宅用分電盤の一例を示す正面図である。
【図２】図１のＣ部拡大図である。
【図３】本発明の他の例を示す住宅用分電盤の正面図である。
【図４】従来の住宅用分電盤の正面図である。
【符号の説明】
【００１９】
１・・ケース、２・・第１の主幹ブレーカ、３・・分岐ブレーカ、４・・アース端子、５・・機器取付レール、７・・取付台、Ａ２・・主幹ブレーカ設置部、Ａ３・・分岐ブレーカ設置部、Ａ４・・フリースペース。
【図１】
0005123053.tif 000002
【図２】
0005123053.tif 000003
【図３】
0005123053.tif 000004
【図４】
0005123053.tif 000005